(57)【要約】【課題】カラオケ歌唱を行う利用者が自己の評価結果を知らせても構わない相手に対してのみ当該評価結果を通知することが可能なカラオケシステムを提供する。【解決手段】共有情報を記憶する情報記憶部、複数の利用者がカラオケシステムにログインする処理を行うログイン処理部、ログインを行ったある利用者がカラオケ歌唱を行う場合、カラオケ歌唱の評価結果を共有する他の利用者の識別情報である共有情報を取得する取得部、ある利用者のカラオケ歌唱により得られる歌唱音声信号を分析して、評価結果を取得する歌唱評価部、取得した共有情報に基づいて、評価結果を通知する他の利用者を決定する決定部、ある利用者、及び決定された他の利用者が所有する携帯端末に対し、評価結果を通知する通知部、を有するカラオケシステム。【選択図】図６
2019191473.tif 000002
【特許請求の範囲】
【請求項１】
複数の利用者で利用するカラオケシステムであって、
一の利用者間のカラオケ歌唱の評価結果を共有する他の利用者の識別情報を共有情報として記憶する情報記憶部と、
前記複数の利用者が前記カラオケシステムにログインする処理を行うログイン処理部と、
前記ログインを行ったある利用者がカラオケ歌唱を行う場合、前記カラオケ歌唱の評価結果を共有する他の利用者の識別情報である共有情報を取得する取得部と、
前記ある利用者のカラオケ歌唱により得られる歌唱音声信号を分析して、評価結果を取得する歌唱評価部と、
取得した前記共有情報に基づいて、前記評価結果を通知する前記他の利用者を決定する決定部と、
前記ある利用者、及び決定された前記他の利用者が所有する携帯端末に対し、前記評価結果を通知する通知部と、
を有するカラオケシステム。
【請求項２】
前記通知部は、取得した前記共有情報が、前記ログインを行った他の利用者全ての利用者ＩＤを含む場合、前記携帯端末に対して前記評価結果を通知する代わりに、ログインを行った前記複数の利用者が視認可能な表示装置に前記評価結果を表示させることを特徴とする請求項１記載のカラオケシステム。
【請求項３】
前記情報記憶部は、利用者から投稿された歌唱動画を他の特定の利用者にのみ閲覧可能とするための登録情報に基づいて、歌唱動画を投稿した利用者のカラオケ歌唱の評価結果を共有する他の利用者の識別情報を共有情報として記憶することを特徴とする請求項１または２に記載のカラオケシステム。
【発明の詳細な説明】
【技術分野】
【０００１】
本発明はカラオケシステムに関する。
【背景技術】
【０００２】
カラオケ装置は、利用者のカラオケ歌唱により得られた歌唱音声信号を分析し、歌唱評価を行う機能を有する。カラオケ装置は、利用者に対し、評価結果（採点値、歌唱分析の結果、評価コメント等）を通知する。評価結果の通知は、一般的に、カラオケ歌唱の終了後、カラオケ装置の表示装置に表示することにより行われる。
【０００３】
ところで、複数人でカラオケ装置を利用する際、カラオケ装置の表示装置に評価結果が表示されると、ある利用者の評価結果が他の利用者全てに知られてしまう。そのため、利用者によっては恥ずかしい思いをすることがある。或いは、会社の上司と部下のようなお互いに気を遣う者同士でカラオケ歌唱を行った際に、部下に比べて上司の評価結果が低いこともあり得る。そのような評価結果がカラオケ装置の表示装置に表示されてしまうと、場の雰囲気が気まずくなり、お互いにカラオケ歌唱を楽しむことができない可能性がある。
【０００４】
そこで、特許文献１には、利用者の携帯電話機を用い、評価対象である利用者（カラオケ歌唱を行う利用者）に対し、個別に演奏評価結果を通知するカラオケ装置が開示されている。
【先行技術文献】
【特許文献】
【０００５】
【特許文献１】特開２０１０−８５４８１号公報
【発明の概要】
【発明が解決しようとする課題】
【０００６】
ここで、カラオケ歌唱の評価結果を他の利用者に開示したいかどうかは、他の利用者との関係によるところが大きい。すなわち、会社の上司と部下のような関係や余り親しくない相手であれば評価結果を見られたくないと考える利用者がいる一方、会社の同期や親しい友人同士であれば、評価結果を見られても構わないと考える利用者も多くいる。
【０００７】
本発明の目的は、カラオケ歌唱を行う利用者が自己の採点結果を知らせても構わない相手に対してのみ当該評価結果を通知することが可能なカラオケシステムを提供することにある。
【課題を解決するための手段】
【０００８】
上記目的を達成するための一の発明は、複数の利用者で利用するカラオケシステムであって、一の利用者のカラオケ歌唱の評価結果を共有する他の利用者の識別情報を共有情報として記憶する情報記憶部と、前記複数の利用者が前記カラオケシステムにログインする処理を行うログイン処理部と、前記ログインを行ったある利用者がカラオケ歌唱を行う場合、前記カラオケ歌唱の評価結果を共有する他の利用者の識別情報である共有情報を取得する取得部と、前記ある利用者のカラオケ歌唱により得られる歌唱音声信号を分析して、評価結果を取得する歌唱評価部と、取得した前記共有情報に基づいて、前記評価結果を通知する前記他の利用者を決定する決定部と、前記ある利用者、及び決定された前記他の利用者が所有する携帯端末に対し、前記評価結果を通知する通知部と、を有するカラオケシステムである。
本発明の他の特徴については、後述する明細書及び図面の記載により明らかにする。
【発明の効果】
【０００９】
本発明によれば、カラオケ歌唱を行う利用者が自己の採点結果を知らせても構わない相手に対してのみ当該評価結果を通知することができる。
【図面の簡単な説明】
【００１０】
【図１】実施形態に係るカラオケシステムの概略を示す図である。
【図２】実施形態に係るサーバ装置のハードウェア構成例を示す図である。
【図３】サーバ装置で記憶される共有情報の例を示す図である。
【図４】実施形態に係るカラオケ装置のハードウェア構成例を示す図である。
【図５】実施形態に係るカラオケ装置のソフトウェア構成例を示す図である。
【図６】実施形態に係るカラオケシステムの処理を示すフローチャートである。
【発明を実施するための形態】
【００１１】
＜実施形態＞
図１〜図６を参照して、実施形態に係るカラオケシステムについて説明する。
【００１２】
＝＝カラオケシステム＝＝
図１に示すように、本実施形態に係るカラオケシステム１は、カラオケ装置Ｋ、及びサーバ装置Ｓを備える。カラオケ装置Ｋとサーバ装置Ｓとは、ネットワークＮを介して通信可能となっている。ネットワークＮは、たとえば公衆電話回線網やインターネット回線等の伝送路である。また、カラオケ装置Ｋは、利用者が所有する携帯端末と通信可能となっている。
【００１３】
本実施形態において、利用者Ｕ１〜利用者Ｕ５は、携帯端末Ｍ１〜携帯端末Ｍ５を所有している。携帯端末は、一般的なスマートフォンやタブレット端末である。携帯端末には、カラオケ装置Ｋを利用する際に使用する専用アプリケーションソフトウェア（以下、「カラオケアプリ」）がインストールされている。カラオケアプリは、サーバ装置Ｓや、サーバ装置Ｓが提供するＷｅｂサイトからダウンロードすることで入手できる。
【００１４】
携帯端末とカラオケ装置Ｋは、ペアリングされることで互いに通信可能となる。ペアリングは公知の手法を利用することができる。ペアリングは、たとえば、カラオケ装置Ｋが設置されたカラオケルームへの入室後、カラオケアプリを起動させた場合に実行される。ペアリングされた後、利用者は、カラオケアプリを利用して、たとえばカラオケ装置Ｋに付属するリモコン装置と同様の操作（楽曲の予約等）を行うことができる。
【００１５】
＝＝サーバ装置＝＝
サーバ装置Ｓは、カラオケ装置Ｋに関する各種情報を管理したり、カラオケ装置Ｋから送信される情報の処理を行うコンピュータである。図２はサーバ装置Ｓのハードウェア構成例を示す図である。サーバ装置Ｓは、記憶部１０、通信部２０、及び制御部３０を備える。各構成はインターフェース（図示なし）を介してバスＢに接続されている。
【００１６】
記憶部１０は、各種のデータを記憶する大容量の記憶装置である。本実施形態に係る記憶部１０の記憶領域の一部は、情報記憶部１０ａとして機能する。
【００１７】
情報記憶部１０ａは、共有情報を記憶する。共有情報は、利用者が使用している各種サービスやＳＮＳの登録情報に基づいて設定される。たとえば、ある利用者がカラオケ歌唱を撮影して投稿した歌唱動画を、他の特定の利用者のみ閲覧可能とするサービスが存在する（「ＤＡＭ★とも」が提供する「ともだち」サービス（株式会社第一興商）。http://www.clubdam.com/app/damtomo/common/support.do?type=damtomo&source=mypage#friends&subType=support）。サーバ装置Ｓは、このサービスの登録情報に基づき、ある利用者の歌唱動画を閲覧できる他の利用者については、当該ある利用者のカラオケ歌唱の評価結果を共有する利用者として判断し、その旨を共有情報として情報記憶部１０ａに記憶させる。
【００１８】
なお、カラオケ歌唱の評価結果は、ある利用者がカラオケ歌唱した際にカラオケ装置Ｋで得られる採点値、歌唱分析の結果（たとえば、音程の正確性、安定性、歌唱技法等の歌唱表現力の評価）、評価コメント等である。
【００１９】
ここで、たとえば、利用者Ｕ２、利用者Ｕ３、利用者Ｕ５、利用者Ｕｘ、利用者Ｕｙ、及び利用者Ｕｚは、いずれも利用者Ｕ１の歌唱動画を閲覧できる利用者であるとする。この場合、情報記憶部１０ａは、各利用者が利用者Ｕ１のカラオケ歌唱の評価結果を共有する利用者である旨を共有情報として記憶する。
【００２０】
図３は、情報記憶部１０ａに記憶される利用者Ｕ１の共有情報を示した図である。共有情報は、各利用者の識別情報（利用者ＩＤ）により管理される。この例では、利用者Ｕ１のカラオケ歌唱の評価結果が、利用者Ｕ２、利用者Ｕ３、利用者Ｕ５、利用者Ｕｘ、利用者Ｕｙ、及び利用者Ｕｚとの間で共有されている。すなわち、利用者Ｕ１は、利用者Ｕ２、利用者Ｕ３、利用者Ｕ５、利用者Ｕｘ、利用者Ｕｙ、及び利用者Ｕｚには評価結果を知られても構わないと考えている。一方、利用者Ｕ１は、それ以外の利用者には評価結果を知られたくないと考えている。
【００２１】
なお、共有情報は、利用者がカラオケ装置Ｋを利用する前に予め設定してもよい。たとえば、利用者Ｕ１は、携帯端末Ｍ１を利用してサーバ装置Ｓが提供する専用のＷｅｂサイトにアクセスし、当該Ｗｅｂサイト上で評価結果を共有する利用者の設定を行う。サーバ装置Ｓは、利用者Ｕ１により設定された情報を共有情報として情報記憶部１０ａに記憶させる。
【００２２】
通信部２０は、サーバ装置Ｓとカラオケ装置Ｋまたは各携帯端末とを接続するためのインターフェースを提供する。制御部３０は、サーバ装置Ｓにおける各種の制御を行う。制御部３０は、ＣＰＵおよびメモリ（いずれも図示なし）を備える。ＣＰＵは、メモリに記憶されたプログラムを実行することにより各種の機能を実現する。
【００２３】
たとえば、制御部３０は、カラオケ装置Ｋからの要求に基づいて、ログインを行ったある利用者がカラオケ歌唱を行う場合、当該ある利用者のカラオケ歌唱の評価結果を共有する他の利用者の利用者ＩＤのうち、ログインを行った利用者の利用者ＩＤを共有情報として送信する（詳細は後述）。
【００２４】
＝＝カラオケ装置＝＝
［ハードウェア構成］
カラオケ装置Ｋは、楽曲のカラオケ演奏、及び利用者がカラオケ歌唱を行うための装置である。
【００２５】
図４に示すように、カラオケ装置Ｋは、カラオケ本体４０、スピーカ５０、表示装置６０、マイク７０、及びリモコン装置８０を備える。
【００２６】
スピーカ５０はカラオケ本体４０からの放音信号に基づいて放音するための構成である。表示装置６０はカラオケ本体４０からの信号に基づいて映像や画像を画面に表示するための構成である。マイク７０は利用者の歌唱音声（マイク７０への入力音声）をアナログの音声信号に変換してカラオケ本体４０に入力するための構成である。リモコン装置８０は、カラオケ本体４０に対する各種操作をおこなうための装置である。利用者はリモコン装置８０を用いてカラオケ歌唱を希望する楽曲の検索や選曲（予約）等を行うことができる。リモコン装置８０の表示画面には各種操作の指示入力を行うためのアイコン等が表示される。
【００２７】
カラオケ本体４０は、選曲された楽曲のカラオケ演奏制御、歌詞や背景映像等の表示制御、マイク７０を通じて入力された音声信号の処理といった、カラオケ歌唱に関する各種の制御を行う。図４に示すように、カラオケ本体４０は、制御部４１、通信部４２、記憶部４３、音響処理部４４、表示処理部４５、及び操作部４６を備える。各構成はインターフェース（図示なし）を介してバスＢに接続されている。
【００２８】
制御部４１は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００２９】
通信部４２は、ルーター（図示なし）を介してカラオケ本体４０を通信回線に接続するためのインターフェースを提供する。
【００３０】
記憶部４３は、各種のデータを記憶する大容量の記憶装置であり、たとえばハードディスクドライブなどである。たとえば、記憶部４３は、カラオケ装置Ｋにおいてカラオケ演奏を行うための複数の楽曲（楽曲データ）を記憶する。
【００３１】
音響処理部４４は、制御部４１の制御に基づき、楽曲に対するカラオケ演奏の制御およびマイク７０を通じて入力された歌唱音声信号の処理を行う。表示処理部４５は、制御部４１の制御に基づき、表示装置６０やリモコン装置８０における各種表示に関する処理を行う。たとえば、表示処理部４５は、カラオケ演奏時における背景映像に歌詞テロップや各種アイコンが重ねられた映像を表示装置６０に表示させる。或いは、表示処理部４５は、リモコン装置８０の表示画面に操作入力用の各種アイコンを表示させる。
【００３２】
操作部４６は、パネルスイッチおよびリモコン受信回路などからなり、利用者によるカラオケ装置Ｋのパネルスイッチあるいはリモコン装置８０の操作に応じて選曲信号、演奏中止信号などの操作信号を制御部４１に対して出力する。制御部４１は、操作部４６からの操作信号を検出し、対応する処理を実行する。
【００３３】
［ソフトウェア構成］
図５はカラオケ本体４０のソフトウェア構成例を示す図である。カラオケ本体４０は、ログイン処理部１００、取得部２００、歌唱評価部３００、決定部４００、及び通知部５００を備える。ログイン処理部１００、取得部２００、歌唱評価部３００、決定部４００、及び通知部５００は、ＣＰＵがメモリに記憶されるプログラムを実行することにより実現される。
【００３４】
（ログイン処理部）
ログイン処理部１００は、複数の利用者がカラオケシステム１にログインする処理を行う。
【００３５】
利用者は、カラオケシステム１の利用にあたって、最初にログイン操作（自己の利用者ＩＤやパスワードの入力）を行なう。具体的に、利用者は、自己の携帯端末でカラオケアプリを起動させてペアリングが完了した後、利用者ＩＤ及びパスワードを入力する。携帯端末は、入力された利用者ＩＤ及びパスワードをカラオケ装置Ｋに送信する。ログイン処理部１００は、受信した利用者ＩＤ及びパスワードに基づいて当該利用者ＩＤに対応する利用者がカラオケシステム１にログインする処理を行う。ログイン処理を行うことにより、カラオケシステム１は、現在、カラオケ装置Ｋを利用している利用者を特定することができる。複数の利用者でカラオケシステム１を利用する場合、利用者毎にログイン操作を行う。なお、利用者は、リモコン装置８０を用いてログイン操作を行ってもよい。
【００３６】
（取得部）
取得部２００は、ログインを行ったある利用者がカラオケ歌唱を行う場合、当該ある利用者のカラオケ歌唱の評価結果を共有する他の利用者の利用者ＩＤのうち、ログインを行った利用者の利用者ＩＤを共有情報として取得する。
【００３７】
たとえば、利用者Ｕ１〜利用者Ｕ５がログイン操作を行ったとする。その後、利用者Ｕ１がカラオケ歌唱を行ったとする。また、サーバ装置Ｓ（情報記憶部１０ａ）には図３に示した共有情報が記憶されているとする。
【００３８】
この場合、取得部２００は、利用者Ｕ１〜利用者Ｕ５の利用者ＩＤをカラオケ装置Ｋの装置識別ＩＤと併せてサーバ装置Ｓに送信し、利用者Ｕ１のカラオケ歌唱の評価結果を共有する利用者の利用者ＩＤを共有情報として要求する。なお、取得部２００は、カラオケ歌唱を行う利用者Ｕ１と他の利用者Ｕ２〜Ｕ５とを区別できるよう利用者ＩＤを送信する。
【００３９】
サーバ装置Ｓの制御部３０は、情報記憶部１０ａを参照し、取得部２００からの要求に対応する共有情報を抽出する。ここで、図３の例によれば、利用者Ｕ１のカラオケ歌唱の評価結果を共有する利用者は、利用者Ｕ２、利用者Ｕ３、利用者Ｕ５、利用者Ｕｘ、利用者Ｕｙ、及び利用者Ｕｚである。一方、カラオケ装置Ｋから送信されたのは、利用者Ｕ２、利用者Ｕ３、利用者Ｕ４、及び利用者Ｕ５の利用者ＩＤである。従って、制御部３０は、利用者Ｕ２、利用者Ｕ３、及び利用者Ｕ５の利用者ＩＤを共有情報として装置識別ＩＤが示すカラオケ装置Ｋに送信する。このようにして、取得部２００は共有情報を取得することができる。利用者Ｕ１は「ある利用者」の一例であり、利用者Ｕ２〜利用者Ｕ５は「他の利用者」の一例である。
【００４０】
（歌唱評価部）
歌唱評価部３００は、ある利用者のカラオケ歌唱により得られる歌唱音声信号を分析して、評価結果を取得する。
【００４１】
カラオケ歌唱に基づく評価結果の取得は、公知の手法を用いることができる。たとえば、歌唱評価部３００は、マイク７０で入力された歌唱音声信号から、ピッチ（音高）データ、音量データ等の歌唱音声データを抽出し、楽曲のリファレンスデータと比較することにより、採点値を得ることができる。
【００４２】
また、歌唱評価部３００は、音程の正確性、安定性、歌唱技法等の歌唱表現力の評価を行うこともできる。歌唱評価部３００は、歌唱音声信号から歌唱音声のタイミング（リズム）、音高、音量などのパターンを検出することで歌唱表現力の評価を行うことができる。
【００４３】
（決定部）
決定部４００は、取得した共有情報に基づいて、評価結果を通知する他の利用者を決定する。
【００４４】
上記例によれば、取得部２００は、利用者Ｕ１の共有情報である利用者Ｕ２、利用者Ｕ３、及び利用者Ｕ５の利用者ＩＤを取得する。この共有情報によれば、利用者Ｕ１は、一緒にカラオケ装置Ｋを利用している利用者Ｕ２〜利用者Ｕ５のうち、利用者Ｕ２、利用者Ｕ３、及び利用者Ｕ５に対しては自己の評価結果を知らせてもよいと考えていることとなる。従って、決定部４００は、評価結果を通知する他の利用者として利用者Ｕ２、利用者Ｕ３、及び利用者Ｕ５を決定する。決定部４００は、利用者Ｕ２、利用者Ｕ３、及び利用者Ｕ５それぞれの利用者ＩＤを通知部５００に出力する。
【００４５】
（通知部）
通知部５００は、ある利用者、及び決定された他の利用者が所有する携帯端末に対し、評価結果を通知する。
【００４６】
たとえば、評価結果を通知する他の利用者として利用者Ｕ２、利用者Ｕ３、及び利用者Ｕ５が決定されたとする。この場合、通知部５００は、カラオケ装置Ｋとペアリングされている携帯端末Ｍ１（利用者Ｕ１が所有）、携帯端末Ｍ２（利用者Ｕ２が所有）、携帯端末Ｍ３（利用者Ｕ３が所有）、及び携帯端末Ｍ５（利用者Ｕ５が所有）に対し、利用者Ｕ１のカラオケ歌唱の評価結果を送信する。各利用者は、自己の携帯端末で利用者Ｕ１の評価結果を確認できる。一方、通知部５００は、利用者Ｕ１が評価結果を共有したいとは考えていない利用者Ｕ４（携帯端末Ｍ４）に対しては評価結果の送信を行わない。従って、利用者Ｕ１は、利用者Ｕ４に自己の評価結果を知られることは無い。
【００４７】
なお、取得部２００で取得した共有情報が、ログインを行った他の利用者全ての利用者ＩＤを含むこともありうる。
【００４８】
上記例であれば、利用者Ｕ１のカラオケ歌唱の評価結果が、利用者Ｕ２〜利用者Ｕ５全員との間で共有される場合である。すなわち、利用者Ｕ１は、カラオケ装置Ｋを利用している利用者全てに対して自己の評価結果を知られても構わないと考えていることとなる。
【００４９】
従って、通知部５００は、携帯端末に対して評価結果を通知する代わりに、ログインを行った複数の利用者が視認可能な表示装置（たとえば、カラオケ装置Ｋが備える表示装置６０）に評価結果を表示させることができる。
【００５０】
＝＝カラオケシステムにおける処理について＝＝
次に、図６を参照して本実施形態に係るカラオケシステム１における処理の具体例について述べる。図６は、カラオケシステム１における処理例を示すフローチャートである。この例では、利用者Ｕ１〜利用者Ｕ５がカラオケ装置Ｋを利用する。また、サーバ装置Ｓの情報記憶部１０ａは、利用者Ｕ１のカラオケ歌唱の評価結果を共有する他の利用者の利用者ＩＤを利用者Ｕ１の共有情報として記憶しているとする。
【００５１】
各利用者は、自己の携帯端末においてカラオケアプリを起動させ、カラオケ装置Ｋとペアリングを行い、且つカラオケシステム１に対してログイン操作を行う。
【００５２】
ログイン処理部１００は、利用者Ｕ１〜利用者Ｕ５がカラオケシステム１にログインする処理を行う（ログイン処理。ステップ１０）。
【００５３】
その後、利用者Ｕ１がカラオケ歌唱を開始したとする。
【００５４】
この場合、取得部２００は、カラオケ歌唱を行う利用者Ｕ１と他の利用者Ｕ２〜利用者Ｕ５の利用者ＩＤを区別できるようにサーバ装置Ｓに送信する（各利用者の利用者ＩＤを送信。ステップ１１）。
【００５５】
サーバ装置Ｓ（制御部３０）は、ステップ１１で送信された利用者ＩＤに基づいて、利用者Ｕ１のカラオケ歌唱の評価結果を共有する利用者の利用者ＩＤを、利用者Ｕ１の共有情報としてカラオケ装置Ｋに送信する（評価結果を共有する利用者ＩＤを共有情報として送信。ステップ１２）。
【００５６】
取得部２００は、ステップ１２で送信された共有情報を取得する（共有情報の取得。ステップ１３）。
【００５７】
歌唱評価部３００は、利用者Ｕ１のカラオケ歌唱により得られる歌唱音声信号を分析して、評価結果を取得する（評価結果の取得。ステップ１４）。
【００５８】
決定部４００は、ステップ１３で取得した共有情報に基づいて、評価結果を通知する利用者を決定する（評価結果を通知する利用者の決定。ステップ１５）。なお、ステップ１４とステップ１５は逆の順番で実行されてもよいし、並行して実行されてもよい。
【００５９】
ここで、ステップ１３で取得した共有情報が、利用者Ｕ１とステップ１０でログインを行った全ての他の利用者（利用者Ｕ２〜利用者Ｕ５）の利用者ＩＤを含まない場合（ステップ１６でＮの場合）、通知部５００は、利用者Ｕ１、及びステップ１５で決定された利用者が所有する携帯端末に対し、評価結果を通知する（一部の利用者に対して評価結果を通知。ステップ１７）。
【００６０】
一方、ステップ１３で取得した共有情報が、ステップ１０でログインを行った全ての他の利用者（利用者Ｕ２〜利用者Ｕ５）の利用者ＩＤを含む場合（ステップ１６でＹの場合）、通知部５００は、携帯端末に対して評価結果を通知する代わりに、表示装置６０に評価結果を表示させる（表示装置に評価結果を表示。ステップ１８）。
【００６１】
このように、本実施形態に係るカラオケシステム１は複数の利用者で利用する。カラオケシステム１は、サーバ装置Ｓ及びカラオケ装置Ｋを有する。サーバ装置Ｓは、ある利用者のカラオケ歌唱の評価結果を共有する他の利用者の識別情報を共有情報として記憶する情報記憶部１０ａを有する。カラオケ装置Ｋは、ログイン処理部１００、取得部２００、歌唱評価部３００、決定部４００、及び通知部５００を有する。ログイン処理部１００は、複数の利用者がカラオケシステム１にログインする処理を行う。取得部２００は、ログインを行った利用者Ｕ１がカラオケ歌唱を行う場合、利用者Ｕ１のカラオケ歌唱の評価結果を共有する他の利用者の識別情報である共有情報を取得する。歌唱評価部３００は、利用者Ｕ１のカラオケ歌唱により得られる歌唱音声信号を分析して、評価結果を取得する。決定部４００は、取得した共有情報に基づいて、評価結果を通知する他の利用者を決定する。通知部５００は、利用者Ｕ１、及び決定された他の利用者が所有する携帯端末に対し、評価結果を通知する。
【００６２】
このようなカラオケシステム１によれば、カラオケ歌唱を行う利用者のカラオケ歌唱の評価結果を共有する他の利用者を示す共有情報に基づいて、評価結果を通知する利用者を決定できる。従って、各利用者は、一緒にカラオケ装置Ｋを利用する利用者が誰かに関わらず、カラオケ歌唱の評価結果を知らせても構わない利用者に対してのみこれを提供できる。すなわち、本実施形態に係るカラオケシステム１によれば、カラオケ歌唱を行う利用者が自己の評価結果を知らせても構わない相手に対してのみ当該評価結果を通知することができる。
【００６３】
また、通知部５００は、取得した共有情報が、ログインを行った他の利用者全ての識別情報を含む場合、携帯端末に対して評価結果を通知する代わりに、ログインを行った複数の利用者が視認可能な表示装置６０に評価結果を表示させることができる。このように表示装置６０に評価結果を表示させることにより、カラオケ装置Ｋを利用する全ての利用者がカラオケ歌唱を行った利用者の評価結果を容易に確認することができる。
【００６４】
なお、本実施形態のカラオケ装置Ｋの取得部２００は、カラオケ歌唱を行う利用者Ｕ１と他の利用者Ｕ２〜Ｕ５とを区別できるよう利用者ＩＤを送信し、サーバ装置Ｓの制御部３０は、カラオケ装置Ｋからの要求に基づいて、利用者Ｕ１の共有情報として利用者Ｕ２、利用者Ｕ３、及び利用者Ｕ５の利用者ＩＤを送信するが、これに限られない。たとえば、取得部２００は利用者Ｕ１の利用者ＩＤのみを送信し、制御部３０は利用者Ｕ１の共有情報として利用者Ｕ２、利用者Ｕ３、利用者Ｕ５、利用者Ｕｘ、利用者Ｕｙ、及び利用者Ｕｚの全ての利用者ＩＤを送信し、それらの中からカラオケ装置Ｋの決定部４００が、ログイン中の利用者Ｕ２、利用者Ｕ３、及び利用者Ｕ５のみを、評価結果を通知する利用者として決定してもよい。
【００６５】
＜その他＞
上記実施形態では、サーバ装置Ｓ及びカラオケ装置Ｋを含むカラオケシステム１について説明した。一方、カラオケ装置Ｋのみでカラオケシステムを構成することも可能である。
【００６６】
この場合、カラオケ装置Ｋが備える記憶部４３の記憶領域の一部が情報記憶部１０ａとして機能する。また、取得部２００は、情報記憶部１０ａを参照し、カラオケ歌唱の評価結果を共有する利用者の識別情報である共有情報を取得する。
【００６７】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６８】
１  カラオケシステム
１０ａ  情報記憶部
１００  ログイン処理部
２００  取得部
３００  歌唱評価部
４００  決定部
５００  通知部
Ｋ  カラオケ装置
Ｍ１〜Ｍ５  携帯端末
Ｓ  サーバ装置
【図１】
2019191473.tif 000003
【図２】
2019191473.tif 000004
【図３】
2019191473.tif 000005
【図４】
2019191473.tif 000006
【図５】
2019191473.tif 000007
【図６】
2019191473.tif 000008